(57)【要約】【課題】表示部の外枠２６を細くすることができ、これにより平面形状において小型化を図ることができ、電子機器における表示画面の多彩なデザインに対応可能とする。【解決手段】所定の間隙をもって並列配置された２つの表示領域３を有し、両表示領域３に備えられ対向して配置された一対の透明基板７ａ、７ｂの対向する内面に、それぞれ表示電極９が設け、各表示電極９の電極端子が延設されている第１透明基板７ａの端子部１３を両表示領域３の間隙に配置し、液晶駆動用ＩＣ１５を端子部１３に実装し、第１透明基板７ａを１枚の基板により構成して両表示領域３の共通基板とする。【選択図】      図１
2008185793.tif 000002
【特許請求の範囲】
【請求項１】
平面形状において所定の間隙をもって並列配置された複数の表示領域を有し、前記各表示領域に対向して配置された一対の基板における対向する内面に、それぞれ表示電極が設けられており、前記各表示電極が延設されて電極端子が形成され外部に露出する前記基板の端子部が、前記各表示領域の間隙に配置されていることを特徴とする表示装置。
【請求項２】
平面形状において所定の間隙をもって並列配置された複数の表示領域を有し、前記複数の表示領域においては、一対の基板が対向して配置され、かつ該一対の基板の対向する面には、それぞれ電極が形成されており、前記表示領域に配置されている前記一対の基板のうち一方の基板は、１枚の基板により構成される共通基板とされ、前記共通基板における前記複数の表示領域の間隙部分において、前記各表示領域に対応して形成されている前記共通基板側に形成された表示電極から延設され、外部に露出するように電極端子が形成された端子部を設けたことを特徴とする表示装置。
【請求項３】
前記端子部にＩＣチップが実装されている請求項１または２に記載の表示装置。
【発明の詳細な説明】
【技術分野】
【０００１】
本発明は表示装置に係り、特に複数の表示領域を有する表示装置に関する。
【背景技術】
【０００２】
近年、携帯電話機等の電子機器における表示の多様化にともない、複数の表示領域を有する液晶表示装置等の表示装置が、電子機器の表示手段として用いられている。
【０００３】
図５は、従来の複数の表示領域を有する表示装置の一例を示す模式的平面図であり、図５に示すように、従来の表示装置２７は、各表示領域２８を構成する２つの液晶表示パネル２９を有している。両液晶表示パネル２９は、対向して配置される一対の透明基板３０ａ、３０ｂを有し、両透明基板３０ａ、３０ｂの相互に対向する内面には、図示しない表示電極が設けられている。両透明基板３０ａ、３０ｂのうち一方の第１透明基板３０ａは他方の第２透明基板３０ｂと比較して平面形状において大きく形成され、外部に露出する端子部３１を有しており、両液晶表示パネル２９において、各表示電極はそれぞれ端子部３１に延設されて第１電極端子３２とされている。両液晶表示パネル２９の第１電極端子３２は、それぞれ端子部３１上に実装された液晶駆動用ＩＣ３３の出力電極に導電接続され、液晶駆動用ＩＣ３３の入力電極は、端子部３１上に各第１電極端子３２と独立して配設されている各第２電極端子３５に導電接続されており、各第２電極端子３５は端子部３１の一端縁に延設されて、フレキシブル配線基板３６の電極と導電接続されている。
【０００４】
両液晶表示パネル２９は、両液晶表示パネル２９において表示を行う表示領域２８が表示装置２７における所望の位置に配置されるように所定の間隙をもって並列配置されており、両液晶表示パネル２９における液晶駆動用ＩＣ３３が実装された端子部３１は、相互に対向しない位置に配置されている。そして、両液晶表示パネル２９における表示領域２８のうち表示に用いられる表示部３７が、図６に示すように、携帯電話機等の電子機器３９における表示画面３８において表示手段として用いられるようになっている。
【発明の開示】
【発明が解決しようとする課題】
【０００５】
しかし、前述の従来の表示装置２７によれば、表示領域２８のうち表示に用いられる表示部が、表示装置２７が内蔵される携帯電話機等の電子機器３９の表示画面３８における所望の位置に配置されるように、両液晶表示パネル２９の表示領域２８を配置するため、両液晶表示パネル２９は、表示装置２７内においてそれぞれの端子部３１が相互に対向しないように配置されている。このため、各表示部３７と表示装置２７の外周縁との間の外枠４０のうち両端子部３１の配置位置に相当する部分が太くなってしまい、さらには、表示装置２７自体の平面形状が大きくなってしまうこととなる。このため、表示装置２７を内蔵する電子機器３９内において、表示装置２７の配置位置が限定されてしまうこととなり、このため、例えば表示画面３８を電子機器３９の周縁近傍に配置する等の電子機器３９における表示画面３８の多彩なデザインに対応することができないという問題があった。
【０００６】
本発明はこれらの点に鑑みてなされたものであり、表示部の外枠を細くすることができ、これにより平面形状において小型化を図ることができ、電子機器における表示画面の多彩なデザインに対応可能な表示装置を提供することを目的とする。
【課題を解決するための手段】
【０００７】
前記目的を達成するため、本発明に係る表示装置の特徴は、平面形状において所定の間隙をもって並列配置された複数の表示領域を有し、前記各表示領域に対向して配置された一対の基板における対向する内面に、それぞれ表示電極が設けられており、前記各表示電極が延設されて電極端子が形成され外部に露出する前記基板の端子部が、前記各表示領域の間隙に配置されている点にある。
【０００８】
また、本発明に係る他の表示装置の特徴は、平面形状において所定の間隙をもって並列配置された複数の表示領域を有し、前記複数の表示領域においては、一対の基板が対向して配置され、かつ該一対の基板の対向する面には、それぞれ電極が形成されており、前記表示領域に配置されている前記一対の基板のうち一方の基板は、１枚の基板により構成される共通基板とされ、前記共通基板における前記複数の表示領域の間隙部分において、前記各表示領域に対応して形成されている前記共通基板側に形成された表示電極から延設され、外部に露出するように電極端子が形成された端子部を設けている点にある。
【０００９】
さらに、前記端子部にＩＣチップが実装されていることが好ましい。
【００１０】
この本発明に係る各表示装置によれば、両表示領域の間隙に、各電極端子が形成されている端子部が配置されているので、各表示部と表示装置の外周縁部との間の外枠を細くすることができる。
【発明の効果】
【００１１】
以上述べたように、本発明に係る表示装置によれば、各表示部の外枠を細く形成することができ、これにより、表示装置自体の小型化を図ることができる。また、表示装置を備える携帯電話機等の電子機器の内部において、表示装置の配置位置の自由度を高めることができ、電子機器における表示画面の多彩なデザインに対応することが可能となる。
【発明を実施するための最良の形態】
【００１２】
以下、本発明に係る表示装置の一実施形態を、図１から図４を参照して説明する。ここで、本実施形態においては、表示装置として、液晶表示パネルを備えた表示装置を用いて説明するが、本発明に係る表示装置は、これに限定されるものではなく、例えば有機ＥＬ表示パネルを備えた種々の表示装置に用いることができる。
【００１３】
図１は、本実施形態に係る液晶表示装置を示す模式的平面図であり、図２は、図１の液晶表示装置のＡ−Ａにおける模式的断面図である。
【００１４】
図１および２に示すように、本実施形態に係る表示装置１の液晶表示パネル２は、平面形状において所定の間隙をもって並列配置された複数の（本実施形態においては２つ）の表示領域３を有している。両表示領域３は、図３に示すように、両表示領域３のうち表示に用いられる表示部３ａが、表示装置１が内蔵される電子機器としての携帯電話機５における表示画面５ａの所望の位置に配置されるように位置している。
【００１５】
両表示領域３においては、ガラス等からなる一対の透明基板７ａ、７ｂが対向して配置されており、両表示領域３に配置されている両透明基板７ａ、７ｂのうち一方の第１透明基板７ａは、１枚の基板により構成される共通基板とされて、共通基板における両表示領域３の間隙の部分は、両透明基板７ａ、７ｂのうち他方の第２透明基板７ｂから露出するようになっている。
【００１６】
両表示領域３における両透明基板７ａ、７ｂの対向する内面には、表示電極９や図示しない配向膜等が積層して配設されており、両透明基板７ａ、７ｂは、両透明基板７ａ、７ｂの対向する内面における外周縁に配設されたシール材１０によって一体に形成されている。そして、両透明基板７ａ、７ｂおよびシール材１０に囲まれた内部には、液晶１１および図示しないスペーサが封入されている。
【００１７】
第１透明基板７ａにおける両表示領域３の間隙に位置して第２透明基板７ｂから露出する部分は、両表示領域３の各表示電極９が延設される端子部１３とされており、端子部１３上には、チップ部品として両表示領域３の液晶１１を駆動するための液晶駆動用ＩＣ１５が、両表示領域３に対応して１つずつ実装されている。両液晶駆動用ＩＣ１５は、端子部１３上において両表示領域３の並列方向に対して直交するよう並列配置されている。
【００１８】
各表示電極９は、端子部１３上においてそれぞれの液晶駆動用ＩＣ１５における各出力端子１７に対応する位置に延設されて第１電極端子１８とされており、また、端子部１３上には、両液晶駆動用ＩＣ１５における各入力端子１９に対応する位置から端子部１３の所定の端縁に至るように、第２電極端子２０が第１電極端子１８と独立して設けられている。各第１電極端子１８の一端部および液晶駆動用ＩＣ１５の各出力端子１７、液晶駆動用ＩＣ１５の各入力端子１９および各第２電極端子２０の一端部は、それぞれ図示しない導電接着材を介して電気的に接続されており、さらに、第２電極端子２０の他端部は、図示しない電力供給源に電気的に接続されたフレキシブル配線基板２１の端子部１３に図示しない導電接着材を介して電気的に接続されている。
【００１９】
次に、本実施形態に係る表示装置１の作用について説明する。
【００２０】
本実施形態によれば、液晶表示パネル２における両表示領域３の間隙に、各電極端子が形成されている端子部１３が配置されているので、各表示部３ａと表示装置１の外周縁部との間の外枠２６を細くすることができる。
【００２１】
したがって、このように、各表示部３ａの外枠２６を細く形成することにより、表示装置１自体の小型化を図ることができる。また、表示装置１を備える電子機器、例えば携帯電話機５等の内部において、表示装置１の配置位置の自由度を高めることができ、携帯電話機５における表示画面５ａの多彩なデザインに対応することが可能となる。
【００２２】
次に、本発明に係る表示装置１の第２の実施形態を図４を参照して説明する。ここで、第２の実施形態に係る表示装置１について、第１の実施形態と同様の構成については同一の符号を用いて説明し、詳説を省略する。
【００２３】
図４は、第２の実施形態に係る表示装置１を示す模式的平面図であり、図４に示すように、第２の実施形態に係る表示装置１は、一対の液晶表示パネル２３を有している。両液晶表示パネル２３は、両液晶表示パネル２３の各表示領域３が、平面形状において所定の間隙をもって並列配置するように配設されており、両表示領域３は、両表示領域３の表示部３ａが、表示装置１が内蔵される携帯電話機５等における表示画面５ａの所望の位置に配置されるように位置している。なお、本実施形態においては、両表示領域３とも液晶表示パネル２３により構成されているが、これに限定されず、例えば、液晶表示パネル２３および有機ＥＬパネル等の異なる種類の表示パネルにによって、両表示領域３を構成してもよいが、製造工程が複雑になり、工程数が増大することを回避する観点からは、同一の種類の表示パネルによって構成することが好ましい。
【００２４】
両液晶表示パネル２３は、それぞれ対向して配置された一対の透明基板７ａ、７ｂを有しており、両透明基板７ａ、７ｂのうち一方の第１透明基板７ａは、それぞれ他の液晶表示パネル２３に対向する端縁の半分が、それぞれの表示領域３から他の表示領域３の方向に突出し、他方の第２透明基板７ｂより平面形状において大きく形成され、この大きく形成された部分は、表示電極９の電極端子が延設される端子部２５とされている。両液晶表示パネル２３の各端子部２５は、両表示領域３の間隙に位置し、両表示領域３の並列方向に対して直交するように並列して配置されている。これにより、両端子部２５にそれぞれ実装された両液晶表示パネル２３の液晶駆動用ＩＣ１５は、両表示領域３の間隙において、両表示領域３の並列方向に対して直交するように並列配置されている。
【００２５】
次に、第２の実施形態の作用について説明する。
【００２６】
本実施形態によれば、第１の実施形態と同様に、両表示領域３の間隙に、両液晶表示パネル２３の各電極端子が形成されている端子部２５が配置されているので、各表示部３ａと表示装置１の外周縁部との間の外枠２６を細くすることができる。
【００２７】
したがって、このように、各表示部３ａの外枠２６を細く形成することにより、表示装置１自体の小型化を図ることができる。また、表示装置１を備える携帯電話機５等の内部において、表示装置１の配置位置の自由度を高めることができ、携帯電話機５における表示画面５ａの多彩なデザインに対応することが可能となる。
【００２８】
なお、本発明は前記各実施形態に限定されるものではなく、必要に応じて種々変更することが可能である。
【００２９】
例えば、前記各実施形態に係る表示装置１においては、２つの表示領域３を備えているが、これに限定されるものではなく、３つ以上の表示領域３を備えていてもよい。また、端子部２５上には、両表示領域３に対応して２つの液晶駆動用ＩＣ１５が実装されているが、これに限定されず、両表示領域３に共通の液晶駆動用ＩＣ１５を用いるものであってもよい。さらに、端子部２５上に実装される液晶駆動用ＩＣ１５の並列配置方向は、本実施形態に限定されるものではない。
【図面の簡単な説明】
【００３０】
【図１】本発明に係る表示装置の一実施形態を示す模式的平面図
【図２】図１の表示装置のＡ−Ａにおける模式的断面図
【図３】図１の表示装置が備えた電子機器の表示画面を示す模式的平面図
【図４】本発明に係る表示装置の他の実施形態を示す模式的平面図
【図５】従来の表示装置の一例を示す模式的平面図
【図６】図５の表示装置を備えた電子機器の表示画面を示す模式的平面図
【符号の説明】
【００３１】
１  液晶表示装置
２  液晶表示パネル
３  表示領域
３ａ  表示部
５  携帯電話機
５ａ  表示画面
７ａ、ｂ  透明基板
９  表示電極
１０  シール材
１１  液晶
１３  端子部
１５  液晶駆動用ＩＣ
１７  出力端子
１８  第１電極端子
１９  入力端子
２０  第２電極端子
２１  フレキシブル配線基板
２３  液晶表示パネル
２５  端子部
２６  外枠
【図１】
2008185793.tif 000003
【図２】
2008185793.tif 000004
【図３】
2008185793.tif 000005
【図４】
2008185793.tif 000006
【図５】
2008185793.tif 000007
【図６】
2008185793.tif 000008